(57)【要約】      （修正有）【課題】空間活用に優れ、消火器が備え付けられた位置をユーザーが容易に識別できる消火器ホルダを提供する。【解決手段】本発明の一実施例に係る消火器ホルダ１００は、天井に固定手段３０を介して固定されるように複数の固定ホール１１６を備え、一側が開放されたＵ字状に形成されたブラケット１１０と、上端が前記ブラケット１１０に固定される柱部１２０と、前記柱部１２０の下部に位置し、消火器の下面を支持する支持部１３０と、を含み、前記ブラケット１１０に消火器のキャップ部がスライド結合されることによって消火器が固定される。【選択図】図１
2020175167.tif 000002
【特許請求の範囲】
【請求項１】
消火器ホルダにおいて、
天井に固定手段を介して固定されるように複数の固定ホールを備え、一側が開放されたＵ字状に形成されたブラケットと、
上端が前記ブラケットに固定される柱部と、
前記柱部の下部に位置し、消火器の下面を支持する支持部と、を含み、
前記ブラケットに消火器のキャップ部がスライド結合されることによって消火器が固定される、消火器ホルダ。
【請求項２】
前記消火器のキャップ部は、
円筒状に形成されるキャップハウジングと、
前記キャップハウジングの上縁部に沿って突出形成された据置部と、を含む、請求項１に記載の消火器ホルダ。
【請求項３】
前記ブラケットは、
前記キャップ部の据置部が挿入されるように内縁部に沿って上面が段差を有するように形成される段差部を含む、請求項２に記載の消火器ホルダ。
【請求項４】
前記段差部は、
内縁部のうち開放された部分に互いに対称となって内側方向に突出形成された突出部を含む、請求項３に記載の消火器ホルダ。
【請求項５】
前記段差部の内縁部は、
前記キャップハウジングと対応されるように形成される、請求項４に記載の消火器ホルダ。
【請求項６】
前記柱部は、
Ｕ字状に形成され、上端部が前記ブラケットに固定される柱フレームと、
前記柱フレームに両端部が固定され、前記柱フレームの長さ方向に沿って所定距離離れて複数位置する固定フレームと、
前記柱フレームの上端部に位置し、前記ブラケットに固定される楕円状の固定部と、を含む、請求項１に記載の消火器ホルダ。
【請求項７】
前記ブラケットは、
前記柱フレームの上部がスライド挿入されるフレーム挿入溝と、
前記フレーム挿入溝の上部に位置し、前記固定部が挿入されて固定される安着溝と、を含む、請求項６に記載の消火器ホルダ。
【請求項８】
前記ブラケットは、
下面に位置し、前記固定ホールと同心円を有し、上方向に窪んで形成される陥没部をさらに含む、請求項１に記載の消火器ホルダ。
【請求項９】
前記支持部は、
前記柱部から突出した長さが消火器の本体の直径よりも短く突出する、請求項１に記載の消火器ホルダ。
【請求項１０】
前記消火器は、スプレー式消火器である、請求項１に記載の消火器ホルダ。
【発明の詳細な説明】
【技術分野】
【０００１】
本発明は、消火器ホルダに関する。
【背景技術】
【０００２】
消火器は、通常、消火器の容器の内部に、消火用薬剤と、操作によってこの消火用薬剤を噴出させる機能を有する例えば圧縮空気又は不燃性ガス（窒素、ＣＯ２など）のような噴射物質とを含むように構成されており、その噴射物質と噴射方式によって、あるいは消火対象物の特性によって、蓄圧式、加圧式（手動ポンプ式、化学反応式、ガス加圧式）、二酸化炭素消火器、及びハロン消火器に分類され、それに応じて各使用方法にも多少の違いがある。
【０００３】
また、一般的に、事務室や市場の建物及びアパート、住宅などには、建築物などに関する消防法令により、火事の発生時に迅速に使用できるよう、消火器を義務として備え付けるようになっている。
【０００４】
さらに、地下鉄や体育館などの公共施設にも、緊急状況に備えた消火器の備え付けは義務事項であり、建築物などに常在する人員には周期的に消防訓練が実施されている。
【発明の概要】
【発明が解決しようとする課題】
【０００５】
本願は、上述した従来技術の問題点を解決するためのものであり、消火器を安全に保護、管理することのできる消火器ホルダを提供することを目的とする。
【０００６】
但し、本実施例が達成しようとする技術的課題は、上記したような技術的課題に限定されるものではなく、更なる他の技術的課題が存在し得る。
【課題を解決するための手段】
【０００７】
上述した技術的課題を解決するための技術的手段として、本願の一実施例に係る消火器ホルダは、天井に固定手段を介して固定されるように複数の固定ホールを備え、一側が開放されたＵ字状に形成されたブラケットと、上端が前記ブラケットに固定される柱部と、前記柱部の下部に位置し、消火器の下面を支持する支持部と、を含み、前記ブラケットに消火器のキャップ部がスライド結合されることによって消火器が固定される。
【発明の効果】
【０００８】
上述した本願の課題を解決するための手段によれば、消火器を天井に固定することができるので、消火器を安全に保護、管理できるだけでなく、空間活用に優れ、消火器が備え付けられた位置を容易に認識できるという効果が大きく向上することができる。
【図面の簡単な説明】
【０００９】
【図１】本発明の一実施例に係る消火器ホルダの斜視図である。
【図２】本発明の一実施例に係る消火器ホルダに消火器が据置された図である。
【図３】本発明の一実施例に係る消火器ホルダの分解斜視図である。
【図４】本発明の一実施例に係る消火器のキャップ部の斜視図である。
【図５】本発明の一実施例に係る図３のＡの拡大図である。
【図６】本発明の一実施例に係る消火器ホルダに消火器を据置する方法を説明するための図である。
【発明を実施するための形態】
【００１０】
以下では、添付した図面を参照しながら、本願の属する技術分野において通常の知識を有する者が容易に実施できるように本願の実施例を詳しく説明する。ところが、本願は様々な異なる形態に具現されることができ、ここで説明する実施例に限定されるものではない。そして、図面において、本願を明確に説明するために、説明と関係ない部分は省略しており、明細書全体に亘って類似した部分に対しては類似した図面符号を付けている。
【００１１】
本願の明細書全体において、ある部分が他の部分と「連結」されているという場合、これは「直接的に連結」されている場合だけでなく、その中間に他の素子を挟んで「電気的に連結」されている場合も含む。
【００１２】
本願の明細書全体において、ある部材が他の部材の「上に」位置しているという場合、これは、ある部材が他の部材に接している場合だけでなく、両部材の間にまた他の部材が存在する場合も含む。
【００１３】
本願の明細書全体において、ある部分がある構成要素を「含む」という場合、これは、特に反対の記載がない限り、他の構成要素を除くのではなく、他の構成要素をさらに含み得ることを意味する。本願の明細書全体において使用される程度の用語「約」、「実質的に」などは、言及された意味に固有の製造及び物質許容誤差が提示される場合、その数値で、又はその数値に近接した意味として使用され、本願の理解を助けるために、適確であるか絶対的な数値が言及された開示内容を非良心的な侵害者が不当に用いることを防止するために使用される。本願の明細書全体において使用される程度の用語「〜（する）ステップ」又は「〜のステップ」は、「〜のためのステップ」を意味していない。
【００１４】
本願は、消火器ホルダに関する。例えば、消火器ホルダに据置される消火器は、スプレー式消火器であり得るが、これに限定されるものではない。
【００１５】
図１は、本発明の一実施例に係る消火器ホルダの斜視図であり、図２は、本発明の一実施例に係る消火器ホルダに消火器が据置された図であり、図３は、本発明の一実施例に係る消火器ホルダの分解斜視図であり、図４は、本発明の一実施例に係る消火器のキャップ部の斜視図であり、図５は、本発明の一実施例に係る図３のＡの拡大図であり、図６は、本発明の一実施例に係る消火器ホルダに消火器を据置する方法を説明するための図である。
【００１６】
以下、図１及び図２を参照しながら、本願の一実施例に係る消火器ホルダ１００（以下、「消火器ホルダ１００」という）について説明する。
【００１７】
消火器ホルダ１００は、ブラケット１１０と、柱部１２０と、支持部１３０と、を含む。
【００１８】
ブラケット１１０は、天井に固定手段３０を介して固定されるように複数の固定ホール１１６を備え、一側が開放されたＵ字状に形成され得る。言い換えれば、ブラケット１１０は、固定手段３０を複数の固定ホール１１６の下部から上部の方向に貫通することによって天井に固定されることができる。また、ブラケット１１０には、消火器２００のキャップ部２１０が開放された部分にスライド結合されることによって、消火器２００が固定されることができる。これに関する詳細な説明は後述することとする。
【００１９】
これにより、消火器ホルダ１００は、消火器２００を天井に据置することによって、空間活用に優れ、消火器２００が備え付けられた位置をユーザが容易に識別することができるという効果がある。
【００２０】
柱部１２０は、上端がブラケット１１０に固定される。言い換えれば、柱部１２０は、上端がブラケット１１０に結合され、下端に後述する支持部１３０が位置して、支持部１３０を固定する役割をすることができる。
【００２１】
支持部１３０は、柱部１２０の下部に位置し、消火器２００の下面を支持することができる。言い換えれば、図２を参照すると、消火器２００を消火器ホルダ１００に据置する場合、消火器２００のキャップ部２１０をブラケット１１０に結合し、消火器２００の本体２２０の下部を支持部１３０の上面に安着させることによって、消火器２００を堅固に固定することができる。
【００２２】
以下、図３乃至図６を参照しながら、本発明の一実施例に係る消火器ホルダ１００について詳しく説明する。
【００２３】
先ず、本発明の一実施例に係るブラケット１１０について説明する。
【００２４】
ブラケット１１０は、上述したように、一側が開放されたＵ字状に形成され、ネジのような固定手段３０を介して天井に固定されることができる。ここで、図４を参照すると、消火器２００のキャップ部２１０は、円筒状に形成されるキャップハウジング２１１と、キャップハウジング２１１の上縁部に沿って突出形成された据置部２１２と、を含み得る。また、消火器２００のキャップ部２１０は、下部に消火器２００の本体２２０が挿入されて固定されることができる。
【００２５】
また、ブラケット１１０は、消火器２００のキャップ部２１０が挿入されるように内縁部に沿って上面が段差を有するように形成される段差部１１１を含み得る。詳しくは、図６を参照すると、ブラケット１１０を天井面に設置する場合、ブラケット１１０の上面は天井面に密着し、天井面と段差部１１１の上面との間に形成された空間にキャップ部２１０の据置部２１２をスライド結合することによって、キャップ部２１０が下方向に離脱しないように固定することができる。
【００２６】
さらに、段差部１１１は、内縁部のうち開放された部分に互いに対称となって内側方向に突出形成された突出部１１２を含み得る。また、段差部１１１の内縁部は、キャップハウジング２１１と対応するように形成され得る。
【００２７】
詳しくは、キャップ部２１０は、段差部１１１に挿入される場合、突出部１１２により締り嵌め結合され、振動や軽い衝撃によってキャップ部２１０がブラケット１１０から離脱することを防止することができる。また、段差部１１１は、内縁部がキャップハウジング２１１と同心円状を有し、キャップ部２１０が変形されることなく安定的に固定されることができる。
【００２８】
以下、図２を参照しながら、本発明の一実施例に係る柱部１２０について詳しく説明する。
【００２９】
柱部１２０は、柱フレーム１２１と、固定フレーム１２２と、固定部１２３と、を含み得る。
【００３０】
柱フレーム１２１は、上端部がブラケット１１０に固定され、Ｕ字状に形成され得る。例えば、柱フレーム１２１は、長い板状をＵ字状に曲げ、両端部が上方向を向かうように製作することができるが、これに限定されるものではなく、Ｉ字状の板状部材が所定距離離れてそれぞれ位置する形状に製作することもできる。
【００３１】
固定フレーム１２２は、柱フレーム１２１に両端部が固定され、柱フレーム１２１の長さ方向に沿って所定距離離れて複数位置し得る。また、固定フレーム１２２は、両端部が柱フレーム１２１に固定され、柱フレーム１２１が変形されることを防止することができる。
【００３２】
固定部１２３は、柱フレーム１２１の上端部に位置し、ブラケット１１０に固定される楕円状の固定部１２３を含み得る。詳しくは、図５を参照すると、ブラケット１１０は、柱フレーム１２１の上部がスライド挿入されるフレーム挿入溝１１３と、フレーム挿入溝１１３の上部に位置し、固定部１２３が挿入されて固定される安着溝１１４と、を含み得る。
【００３３】
即ち、ブラケット１１０に柱フレーム１２１を結合する場合、柱フレーム１２１をフレーム挿入溝１１３に挿入した後、安着溝１１４に固定部１２３を安着させることにより、柱部１２０がブラケット１１０に固定されることができる。このとき、安着溝１１４はフレーム挿入溝１１３よりも大きく形成され、固定部１２３が安着溝１１４に安着されることによって下方向への移動が制限され得る。
【００３４】
また、ブラケット１１０は、下面に位置し、固定ホール１１６と同心円を有し、上方向に窪んで形成される陥没部（未図示）をさらに含み得る。言い換えれば、固定手段３０を介してブラケット１１０を固定する場合、固定ホール１１６の下部から固定ホール１１６を貫通して固定し、このとき、固定手段３０の頂部が外部に突出しないように陥没部に位置して、固定手段３０によりユーザが傷害を受けることを未然に防止することができる。
【００３５】
支持部１３０は、上述したように柱部１２０の下部に位置し、消火器２００の下面を支持することができる。例えば、支持部１３０は、図２に示されたように、固定フレーム１２２に結合されるが、これに限定されるものではなく、柱フレーム１２１の下部に結合されることもできる。
【００３６】
さらに、支持部１３０は、柱部１２０から突出した長さが消火器２００の本体２２０の直径よりも短く形成され得る。これにより、ユーザが消火器２００を体の下側方向へ引くことによって手軽く消火器２００を消火器ホルダ１００から分離することができる。
【００３７】
上述した本願の説明は例示のためのものであり、本願の属する技術分野において通常の知識を有する者であれば、本願の技術的思想や必須の特徴を変更せずに他の具体的な形態で容易に変形可能であるということを理解できるはずである。それゆえ、上記した実施例は全ての面において例示的なものであり、限定的なものではないと理解すべきである。例えば、単一型で説明されている各構成要素は分散して実施されることもでき、同様に、分散したものと説明されている構成要素も結合された形態で実施されることができる。
【００３８】
本願の範囲は、上記詳細な説明よりは後述する特許請求の範囲によって示され、特許請求の範囲の意味及び範囲、並びにその均等概念から導出される全ての変更又は変形された形態が本願の範囲に含まれることと解釈されなければならない。
【符号の説明】
【００３９】
１００：消火器ホルダ
１１０：ブラケット
１１１：段差部
１１２：突出部
１１３：フレーム挿入溝
１１４：安着溝
１１５：陥没部
１２０：柱部
１２１：柱フレーム
１２２：固定フレーム
１２３：固定部
１３０：支持部
２００：消火器
２１０：キャップ部
２１１：キャップハウジング
２１２：据置部
２２０：本体
３０：固定手段
【図１】
2020175167.tif 000003
【図２】
2020175167.tif 000004
【図３】
2020175167.tif 000005
【図４】
2020175167.tif 000006
【図５】
2020175167.tif 000007
【図６】
2020175167.tif 000008